(57)【特許請求の範囲】
【請求項１】
水栓本体に接続された吐水管に対しトレイを着脱自在に装着して前記吐水管で前記トレイを保持するよう構成してあり、
さらに、前記水栓本体は、背面に湯接続口部および水接続口部を有する一方、前記トレイを、前記湯接続口部および水接続口部と、前記吐水管本体とで保持するよう構成してあることを特徴とする水栓におけるトレイ装着構造。
【請求項２】
水栓本体に回動自在に接続された吐水管の直上にトレイを位置させるように構成してあり、
前記水栓本体に一対の操作部材を設けて水、湯、または混合水の吐水管への供給・停止および温度調整を行うよう構成されている一方、前記水栓本体の背面には湯接続口部および水接続口部が設けられており、
前記トレイを、前記湯接続口部および水接続口部と、前記水栓本体の下部とで保持して前記水栓本体に前記トレイを着脱自在に装着するため
前記トレイが、
前記一対の操作部材のうち一方の操作部材の操作を許容する大きさの切欠を前記一方の操作部材に対応する位置に有するとともに、
前記一対の操作部材のうち他方の操作部材の操作を許容する大きさの切欠を前記他方の操作部材に対応する位置に有することを特徴とする水栓におけるトレイ装着構造。
【発明の詳細な説明】
【０００１】
【発明の属する技術分野】
この発明は、例えば浴室やシャワールームに予め設置されている水栓本体に接続された吐水管に対しシャンプーや石鹸などの小物を載せるトレイを後付け設置したり、前記水栓本体に前記トレイを後付け設置できるよう構成してある新規な水栓におけるトレイ装着構造に関する。
【０００２】
【従来の技術および発明が解決しようとする課題】
従来この種のトレイ装着構造では、温度調整手段が組み込まれて給湯温度の調整が行われる筒状のサーモ型湯水混合水栓本体に固定する形でこの水栓本体の直上にシャンプーや石鹸などの小物を載せるトレイが取り付けられているものがあるけれども、前記水栓本体としてトレイ専用のものを用いなければならず、汎用性はなかった。すなわち、前記トレイを既設のサーモ型湯水混合水栓本体に後付け設置することは不可能であるとともに、サーモ型ではない既設の２ハンドル用の湯水混合水栓本体にも後付け設置できなかった。
【０００３】
この発明は上述の事柄に留意してなされたもので、その目的は、既設のサーモ型湯水混合水栓本体のみならず、既設の２ハンドル用の湯水混合水栓本体にもトレイを後付け設置できる水栓におけるトレイ装着構造を提供することである。
【０００４】
【課題を解決するための手段】
上記目的を達成するために、この発明は、水栓本体に接続された吐水管に対しトレイを着脱自在に装着して前記吐水管で前記トレイを保持するよう構成してあり、
さらに、前記水栓本体は、背面に湯接続口部および水接続口部を有する一方、前記トレイを、前記湯接続口部および水接続口部と、前記吐水管本体とで保持するよう構成してあることを特徴としている（請求項１）。
【０００５】
また、この発明は別の観点から、水栓本体に回動自在に接続された吐水管の直上にトレイを位置させるように構成してあり、
前記水栓本体に一対の操作部材を設けて水、湯、または混合水の吐水管への供給・停止および温度調整を行うよう構成されている一方、前記水栓本体の背面には湯接続口部および水接続口部が設けられており、
前記トレイを、前記湯接続口部および水接続口部と、前記水栓本体の下部とで保持して前記水栓本体に前記トレイを着脱自在に装着するため
前記トレイが、
前記一対の操作部材のうち一方の操作部材の操作を許容する大きさの切欠を前記一方の操作部材に対応する位置に有するとともに、
前記一対の操作部材のうち他方の操作部材の操作を許容する大きさの切欠を前記他方の操作部材に対応する位置に有することを特徴とする水栓におけるトレイ装着構造を提供する（請求項２）。
【０００６】
【発明の実施の形態】
以下、この発明の実施形態を、図を参照しながら説明する。
【０００７】
図１〜図３は、水栓本体に接続された吐水管に対しトレイを着脱自在に装着するように構成してあるこの発明の第１の実施形態を示す。
【０００８】
図１〜図３において、１は、湯の温度や吐水量の調整、シャワホースと吐水管の切替えが簡単に行える既設のサーモ型湯水混合水栓で、例えば浴室の壁に、温度調整手段が組み込まれた水栓本体２が横置き水平状態で設置される。
【０００９】
前記水栓本体２は、筒状で、背面側に、湯接続管３を介して湯配管（図示せず）に連通する湯接続口部４と、水接続管５を介して水配管（図示せず）に連通する水接続口部６を有する。湯接続口部４と水接続管５は間隔Ａを有して位置する。また、水栓本体２は、下側中央位置に、水、湯、または混合水の吐水管接続口部７を有するとともに、背面側中央位置に、シャワーホース接続口部８を有する。更に、水栓本体２には、一端に、水、湯、または混合水の吐出状態と止水状態を切り替えるための切替ハンドル９が設けられる一方、他端に、混合水の自動温度調節を行うための温調ハンドル１０が設けられている。
【００１０】
前記切替ハンドル９は、その操作により、流量調節可能に、かつ水、湯、または混合水を、吐水管１１またはシャワーホース（図示せず）に切り替えて供給するように構成されている。そして、水栓本体２内には、切替ハンドル９と接続可能な切替ユニットと、温調ハンドル１０と接続可能な温調ユニットとが装入されている。
【００１１】
前記吐水管１１は、吐水管接続口部７に接続するナット１２を基部に有する。そして、吐水管１１は、このナット１２を介して水栓本体２に対し回動自在に設けられている。１３は、吐水管１１の先端部に着脱自在に取り付けられた断熱キャップで、下面側に吐水口１３ａを有する。前記吐水管１１は、ナット１２が装着された湾曲部１４と、断熱キャップ１３が装着された横長の吐水管本体部１５とより構成される。
【００１２】
以下、この発明の特徴的構成について説明する。
【００１３】
２０は、シャンプーや石鹸などの小物、あるいは、ホースが接続されたシャワヘッドを載せるトレイで、この実施形態では、４箇所で保持されている。
【００１４】
すなわち、トレイ２０は、前記吐水管本体部１５と、吐水管１１の湾曲部１４と、湯接続口部４と、水接続口部６の４箇所で保持可能なように構成されている。
【００１５】
前記トレイ２０は、平面視ほぼ矩形の薄板で、水栓本体２の長手方向（両矢印Ｆで示す方向）に長く、かつ、水栓本体２のＦ方向の長さと切替ハンドル９の幅と温調ハンドル１０の幅を合計した長さよりも長い。前記トレイ２０は、その長手方向における背面側において、直上に、水栓本体２と切替ハンドル９と温調ハンドル１０が位置する。そのため、前記トレイ２０は、切替ハンドル９の回動操作を許容する大きさの切欠４０を切替ハンドル９に対応する位置に有するとともに、温調ハンドル１０の回動操作を許容する大きさの切欠４１を温調ハンドル１０に対応する位置に有する。
【００１６】
吐水管本体部１５におけるトレイ保持機構は、挟み手段で構成されている。この挟み手段は、吐水管本体部１５を上下から挟む一対の挟み部材２１，２２と、両者２１，２２を締結するねじ部材２３およびねじ孔２４とで構成される。この実施形態では、挟み部材２１を水栓本体２の下面に一体成形してある一方、挟み部材２２にねじ孔２４を設けている。
【００１７】
そして、前記挟み部材２１，２２の締結によりトレイ２０を保持できるわけであるが、この実施形態では、トレイ２０は、その長手方向における中央を背面側から所定長さ、所定幅だけ切欠いた平面視Ｕ字形の切欠部２５と、この切欠部２５の近傍で左右対称位置に形成した一対の立設片２７，２８を背面側に有し、以下の作用を奏するよう構成されている。なお、前記立設片２７は、湯接続口部４に嵌合可能な切欠部２９を有する。また、前記立設片２８は、水接続口部６に嵌合可能な切欠部３０を有する。切欠部２９と切欠部３０は間隔Ａを有して位置する。
【００１８】
すなわち、前記切欠部２５を介してトレイ２０を前記湾曲部１４に当接保持させるとともに、立設片２７の切欠部２９および立設片２８の切欠部３０をそれぞれ湯接続口部４および水接続口部６に係止させる。
【００１９】
３１は、トレイ２０の長手方向に沿って設けた落下防止用線部材で、トレイ２０の前面側に位置する。
【００２０】
而して、既設の水栓本体２に対しトレイ２０を装着するにあたり、トレイ２０の前記切欠部２５を吐水管１１の前記湾曲部１４に挿入するとともに、立設片２７の切欠部２９を湯接続口部４に係止させ、かつ、立設片２８の切欠部３０を水接続口部６に係止させ、この状態で、挟み部材２１，２２で吐水管１１の前記吐水管本体部１５を覆い、両者２１，２２を締結することで最終的にトレイ２０を吐水管１１に対し強固に保持できる。そのため、この実施形態では、吐水管１１の水栓本体２に対する回動は不能となる。
このようにして、シャンプーや石鹸などの小物を載せるトレイ２０を既設の水栓本体２に容易に後付け設置できる。
【００２１】
なお、水栓本体２に対し固定状態で設けられた吐水管に対してもトレイ２０を設置できることは勿論である。
【００２２】
図４、図５は、水栓本体の下部の吐水管接続口部にトレイを着脱自在に装着して、吐水管を水栓本体に対し回動自在に設けるとともに、吐水管の直上にトレイを位置させるように構成してあるこの発明の第２の実施形態を示す。なお、図４、図５において、図１〜図３に示した符号と同一のものは同一または相当物である。
【００２３】
図４、図５において、この実施形態でも上記実施形態で用いたのと同様の既設のサーモ型湯水混合水栓１にトレイ２０’を着脱自在に装着している。
【００２４】
この実施形態のトレイ２０’は、上記実施形態で用いたトレイ２０とは異なり、挟み部材２１を持たない。その代わりに、水栓本体２におけるトレイ保持機構は、トレイ２０’の前記切欠部２５を吐水管１１の吐水管接続口部７に挿入したときに、トレイ２０’の下面が当接するリング状のワッシャ３１をナット１２の上面に有する。すなわち、この実施形態では、ワッシャ３１をナット１２で保持する形を採用している。そして、このワッシャ３１と、ナット１２と、トレイ２０’の切欠部２５、立設片２７および立設片２８とで前記水栓本体２におけるトレイ保持機構が構成される。なお、ワッシャ３１は、水栓本体２の前記吐水管接続口部７に外嵌される。
【００２５】
而して、既設の水栓本体２に対しトレイ２０’を装着するにあたり、予めワッシャ３１を水栓本体の下部である吐水管接続口部７に外嵌しておき、この状態で、トレイ２０’の前記切欠部２５を吐水管１１の前記吐水管接続口部７に挿入するとともに、立設片２７の切欠部２９を湯接続口部４に係止させ、かつ、立設片２８の切欠部３０を水接続口部６に係止させることで最終的にトレイ２０’を水栓本体２の下部に対し強固に保持できる。そのため、この実施形態では、吐水管１１は水栓本体２に対して回動自在である。
【００２６】
なお、この発明は、既設の２ハンドル用の湯水混合水栓本体にも適用できる。
【００２７】
また、浴室やシャワールーム以外の例えばキッチンに予め設置されている既設のサーモ型湯水混合水栓本体や既設の２ハンドル用の湯水混合水栓本体にもこの発明は適用できることは勿論である。この場合、前記水栓本体に接続された吐水管に対し洗剤やスポンジなどの小物の整理に役立つトレイを後付け設置したり、前記水栓本体に前記トレイを後付け設置できる。
【００２８】
なお、この発明にいうトレイは、いわゆるトレイのみならず棚や物載せ台をも含む概念である。
【００２９】
【発明の効果】
この発明では、既設のサーモ型湯水混合水栓本体のみならず、既設の２ハンドル用の湯水混合水栓本体にもトレイを後付け設置できる水栓におけるトレイ装着構造を、吐水管でトレイを保持したり、あるいは、水栓本体にトレイを着脱自在に装着する形で提供することができる。
【図面の簡単な説明】
【図１】  この発明の第１の実施形態を示す側面図である。
【図２】  上記実施形態における要部分解斜視図である。
【図３】  （Ａ）は、上記実施形態における平面図である。
（Ｂ）は、上記実施形態における正面図である。
【図４】  この発明の第２の実施形態を示す側面図である。
【図５】  （Ａ）は、上記第２の実施形態における平面図である。
（Ｂ）は、上記第２の実施形態における正面図である。
【符号の説明】
２…水栓本体、４…湯接続口部、６…水接続口部、９…切替ハンドル、１０…温調ハンドル、１４…湾曲部、１５…吐水管本体部、２０，２０’…トレイ、２１，２２…挟み部材、２５，２９，３０…切欠部、２７，２８…立設片、４０…切欠、４１…切欠、。
【図１】
0004647151.tif 000002
【図２】
0004647151.tif 000003
【図３】
0004647151.tif 000004
【図４】
0004647151.tif 000005
【図５】
0004647151.tif 000006